(57)【要約】  テレビジョン記録システム１のような、動画記録システムのための、照明装置２が提供される。照明装置２は、少なくとも３つのソリッドステート光源１１―１、１１―２、１１―３、１１―４を有している。前記光源の第１のもの１１―１は、４１５ｎｍと４３５ｎｍとの間のピーク放出波長と、０．５ｎｍと５０ｎｍとの間のスペクトル幅とを有する。
2012505587.tif 000002
【特許請求の範囲】
【請求項１】
動画記録システムのための照明装置であって、少なくとも３つのソリッドステート照明（ＳＳＬと略す）源を有する照明装置において、前記少なくとも３つのＳＳＬ源の第１のものは、４１５ｎｍと４３５ｎｍとの間のピーク放出波長と、０．５ｎｍと５０ｎｍとの間のスペクトル幅とを有している、照明装置。
【請求項２】
少なくとも第１の前記ＳＳＬ源は、４２５ｎｍのピーク放出波長を有する、請求項１に記載の照明装置。
【請求項３】
少なくとも第１の前記ＳＳＬ源は、１０ｎｍと４５ｎｍとの間のスペクトル幅を有する、請求項１又は２に記載の照明装置。
【請求項４】
少なくとも第１の前記ＳＳＬ源は、２５ｎｍのスペクトル幅を有する、請求項１乃至３の何れか一項に記載の照明装置。
【請求項５】
前記少なくとも３つのＳＳＬ源の少なくとも第２のＳＳＬ源は、５９２ｎｍと６０６ｎｍとの間のピークの放出波長を有する、請求項１乃至４の何れか一項に記載の照明装置。
【請求項６】
前記少なくとも３つのＳＳＬ源の少なくとも第３のＳＳＬ源は、５２６ｎｍと５３８ｎｍとの間のピーク放出波長を有する、請求項１乃至５の何れか一項に記載の照明装置。
【請求項７】
少なくとも第２の前記ＳＳＬ源は、６００ｎｍピーク放出波長を有する、請求項１乃至６の何れか一項に記載の照明装置。
【請求項８】
少なくとも第３の前記ＳＳＬ源は、５３０ｎｍのピーク放出波長を有する請求項１乃至７の何れか一項に記載の照明装置。
【請求項９】
前記少なくとも３つのＳＳＬ源の少なくとも１つは、ＬＥＤを有している、請求項１乃至８の何れか一項に記載の照明装置。
【請求項１０】
前記ＬＥＤは、蛍光体変換光源を有する、請求項９に記載の照明装置。
【請求項１１】
少なくとも１つの白色光ＳＳＬ源を更に有する請求項１乃至１０の何れか一項に記載の照明装置。
【請求項１２】
前記少なくとも３つのＳＳＬ源の少なくとも１つは、レーザダイオードを有している、請求項１乃至１１の何れか一項に記載の照明装置。
【請求項１３】
前記レーザダイオードが、４１５ー４３５ｎｍの範囲内のピーク放出波長を有する、請求項１２に記載の照明装置。
【請求項１４】
前記少なくとも３つのＳＳＬ源の色温度が３０００Ｋである、請求項１乃至１０何れか一項に記載の照明装置。
【請求項１５】
前記少なくとも３つのＳＳＬ源の色温度が５０００Ｋである、請求項１乃至１０の何れか一項に記載の照明装置。
【請求項１６】
請求項１乃至１５何れか一項に記載の照明装置を有する動画記録システム。
【発明の詳細な説明】
【技術分野】
【０００１】
本発明の技術分野は、照明である。より詳細には、本発明は、動画記録システム（例えば、テレビジョン記録システム）のための照明装置に関する。
【背景技術】
【０００２】
テレビジョン（ＴＶ）記録カメラは、カラー画像を記録するために色フィルタと組み合わせられるＣＣＤ又はＣＭＯＳセンサを使用することができる。センサ特性、フィルタ及び処理マトリックスの組み合わせは、太陽光又は放電ランプのような、従来の光源に対して最適化されることができる。しかしながら、前記フィルタの性質のために、画像処理は、自然な仕方において色を再現している画像を生成するためにカメラ内部に必要とされ得る。しかしながら、この画像処理は、使用されるべき或る光源を仮定しているかもしれない。通常、黒体放射、太陽又はタングステン源が、記録されるべき対象を照明していると仮定されている。スタジオ環境において使用されている照明は、伝統的には、適度に連続的なスペクトルを有するタングステン、キセノン又は他の高圧放電ランプであった。
【０００３】
今日、発光ダイオード（ＬＥＤ）のような、ソリッドステート光（ＳＳＬ）源が、例えば、アンビエント照明、食品照明又はスタジオ記録照明のような、様々な照明用途においてますます普及している。スタジオ環境におけるＬＥＤの使用は、幾つかの有利な点を有し得る。例えば、色の調整及び色の制御は、スタジオにおいて使用されている従来の照明装置の場合よりも、より容易、かつ、より正確に、なされることができる。従って、スタジオ環境におけるＬＥＤの使用は、望ましいものであり得る。
【発明の概要】
【発明が解決しようとする課題】
【０００４】
しかしながら、ＬＥＤ源を使用している照明は、従来のスタジオ照明とは異なる幾つかの見地におけるものである。例えば、ＬＥＤ源は、通常、上述の広く使われている従来の照明装置よりも狭い放出スペクトルのような、異なる光放出特性を有している。従って、従来の照明によって照明されている、画像の最適な色を再現するための設定によるカメラは、一般に、使用されている前記スタジオ照明がソリッドステート光源である場合、同じ高い質の色画像を再現することができない。従って、ＴＶ記録カメラのＬＥＤ色の再現性は、許容可能なレベルよりも低くなり得る。結果として、前記スタジオにおいて見ることができるものと、カメラによって再現されることものとの間で、大きい相違が生じ得る。
【０００５】
上述の考慮すべき事柄及びその他に関して、本発明は、なされた。
【課題を解決するための手段】
【０００６】
上述の観点において、従って、デジタルビデオ記録システム、テレビジョン記録システム及び／又は映画記録システムのような、動画記録システムのための改善されたソリッドステート照明装置を達成することが望ましい。特に、動画録画システムにおける改善された色再現を可能にしているソリッドステート照明装置を達成することが、有利である。
【０００７】
これらの懸念の１つ以上により良好に対処するために、本発明の第１の見地において、少なくとも３つのＳＳＬ源を有する、動画記録システムのための照明装置であって、前記少なくとも３つのＳＳＬ源の少なくとも第１のものは、４１５ｎｍと４３５ｎｍとの間のピーク放出波長及び０．５ｎｍと５０ｎｍとの間のスペクトル幅を有する、照明装置が提供される。
【０００８】
本発明は、動画記録システムのために、前記少なくとも３つのＳＳＬ源の前記少なくとも第１のものは、上述の範囲内のピーク放出波長及び上述の範囲内のスペクトル幅を有するように選択されなければならないという、本発明者らの認識に基づいている。本発明者らは、前記少なくとも３つのＳＳＬ源の前記少なくとも第１のもののこれらの特定の範囲が、照明のためにＳＳＬ源を利用している動画記録システムにおいて使用された場合、改善された色再現を有する照明装置を提供することを発見した。例えば、ＴＶ記録システム（例えば、（物理的な）場面を有するテレビジョン及び／又は映画制作のためのスタジオ環境におけるシステム及び前記場面の場所における記録のためのカメラ設備として解釈される）において使用される場合、前記照明装置は、例えば、カメラが前記場面の場所を記録することができるような前記場面の照明を可能にする。有益には、本発明は、スタジオの環境におけるＳＳＬ照明を提供するために使用されることができ、カメラによって記録される色の改善された再現を可能にする。従って、本発明がＳＳＬ源が当該照明のために使用されている場合、動画記録システムとＳＳＬ源との間のより良好な互換性を可能にすることを、認識されたい。
【０００９】
本発明者らは、例えば、スタジオ環境を照明するためにＳＳＬ源を利用している場合の色の再現を改善するために幾つかの重要な理解をした。第一に、本発明者らは、照明装置に含まれている異なるＳＳＬ源の波長の調整が色再現の質を改善することができると理解した。第二に、本発明者らは、青色スペクトルにおける波長が、再現される画像の質に対して最も明白な効果を有することを理解した。
【００１０】
ここで使用されているように、スペクトル幅（半値全幅（ＦＷＨＭ）としても知られている）は、最大ピーク輝度の半分よりも大きい輝度を有する光源の放出スペクトルの一部として規定される。
【００１１】
この文脈において、ＳＳＬ源とは、何らかの半導体光源として理解されるべきであり、即ち正孔電荷再結合（hole-charge recombination）技術を使用している光源であって、好ましくは、例えば、動画記録システム（例えば、ＴＶ記録システム）における場面の照明に適している高出力半導体光源として理解されるべきである。ＳＳＬ源は、ＬＥＤ、ＯＬＥＤ及びレーザを含むが、これらに限定されるものではない。
【００１２】
前記少なくとも第１のＳＳＬ源は、４２５ｎｍにおけるピーク放出波長を有し得る。このことにより、２０００Ｋと６０００Ｋとの間、好ましくは、約３０００Ｋ及び５０００Ｋとの間において動作している照明装置に対して、平均して、より少ない色再現エラーが達成されることができる。
【００１３】
前記少なくとも第１のＳＳＬ源は、１０ｎｍと４５ｎｍの間の、より好ましくは１５ｎｍと４０ｎｍとの間の、最も好ましくは２０ｎｍと３０ｎｍとの間のスペクトル幅（即ちＦＷＨＭ）を有することができる。
【００１４】
前記少なくとも第１のＳＳＬ源は、有利には、約２５ｎｍのスペクトル幅を有することができる。
【００１５】
前記少なくとも３つのＳＳＬ源の少なくとも第２のＳＳＬ源は、５９２ｎｍと６０６ｎｍとの間にピーク放出波長を有することができる。
【００１６】
前記少なくとも３つのＳＳＬ源の少なくとも第３のＳＳＬ源は、５２６ｎｍと５３８ｎｍとの間にピーク放出波長を有することができる。
【００１７】
前記少なくとも第２のＳＳＬ源は、有利には、６００ｎｍのピーク放出波長を有することができる。代替的には、前記少なくとも第２のＳＳＬ源は、６１０ｎｍと６７０ｎｍとの間にピーク放出波長を有することができる。
【００１８】
前記少なくとも第３のＳＳＬ源は、約５３０ｎｍのピーク放出波長を有することができる。
【００１９】
前記少なくとも３つのＳＳＬ源の少なくとも１つは、ＬＥＤを有することができる。
【００２０】
一実施例において、前記少なくとも３つのＳＳＬ源は、例えば、蛍光体励起ＬＥＤ（即ち蛍光体変換ＬＥＤ）とは対照的に、直接的な発光体（即ち「通常の」ＳＳＬ装置）であり得る。本発明の他の実施例によれば、少なくとも１つのＳＳＬ源は、蛍光体変換光源を有することができ、前記ＳＳＬ源によって発された光は、少なくとも部分的に蛍光体変換された光である。更に他の特定の実施例において、前記蛍光体は、ｌｕｍｉｒａｍｉｃ（登録商標）タイルである。
【００２１】
一実施例は、少なくとも１つの白色光ＳＳＬ源を更に有し得る。
【００２２】
前記少なくとも３つのＳＳＬ源のうちの少なくとも１つは、レーザダイオードを有し得る。このことにより、レーザが、典型的には、より高い無頼とネス（即ち発光表面あたり、より多くの光輝度）を有するので、より小型な光学システムが、特に、光投影システムのために利用されることができる。
【００２３】
前記レーザダイオードは、４１５―４３５ｎｍの範囲の、好ましくは約４２５ｎｍのピーク放出波長を有することができる。
【００２４】
前記少なくとも３つのＳＳＬ源の色温度は、３０００Ｋであり得る。
【００２５】
前記少なくとも３つのＳＳＬ源の色温度は、５０００Ｋであり得る。
【００２６】
本発明の第２の見地によれば、前記第１の見地による照明装置を有している動画記録システムが、提供される。前記動画記録システムは、例えば、デジタルビデオ記録システム、テレビジョン記録システム及び／又は映画記録システムであり得る。
【００２７】
一般に、この第２の見地は、前記第１の見地と同じ有利な点及びフィーチャを呈することができる。
【００２８】
本発明のこれら及び他の見地は、以下に記載される実施例を参照して、明らかになり、説明されるであろう。
【００２９】
一般に、本願明細書において使用されている全ての語は、本願明細書において明示的に規定されていない限り、当該技術分野の通常の意味によるものと解釈されるべきである。単数形の要素、装置、構成要素、手段及びステップ等の全ての参照は、明示的に述べられていない限り、前記要素、装置、構成要素、手段及びステップ等の少なくとも一例を参照しているものであると開放的に解釈されるべきである。
【００３０】
本発明の実施例は、ここで、添付図面を参照して、詳細に記載される。
【図面の簡単な説明】
【００３１】
【図１】動画記録システムのブロック図を示している。
【図２】本発明の実施例による照明装置の模式的な図である。
【図３】図２における照明装置の実施例の模式的な図である。
【図４】Ｇｒｅｔａ  Ｍａｃｂｅｔｈカラーチェックパターンの模式的な図である。
【図５】図１における動画記録システムの模式的な図である。
【図６】カメラの色再現を測定する仕方を示している。
【発明を実施するための形態】
【００３２】
図１は、テレビジョン記録システムのような、動画記録システム１のブロック図を示している。この例において、照明装置２は、場面３を照明し、前記場面は、光を反射し、前記光は、カメラ４の光学レンズ５の集合によって捕捉されることができる。光学レンズ５は、少なくともカメラ４が良好に設計されている場合、前記光のスペクトルの変化に殆ど影響を及ぼし得ない。カメラ４内部において、光は、ＩＲ―フィルタ５を通って更に透過される。色フィルタ６は、入射光の赤、緑及び青色成分を分離することができる。
【００３３】
センサ７は、赤、緑及び青色成分を検出し、検出された光の成分を、当該光の処理のためのプロセッサ８に中継することができ、この処理は、例えば、均衡を保っているガンマ補正及びホワイトバランスを含んでいる。
【００３４】
図２は、本発明の実施例による照明装置２の模式的な図を示している。照明装置２は、ＳＳＬ源１１−１乃至１１―３を有している。ＳＳＬ源１１−１乃至１１―３は、例えば、ＬＥＤを有しており、各々１つ以上のＬＥＤを有している。代替的には、ＳＳＬ源１１−１乃至１１−３の少なくとも１つは、ダイオードレーザのような、ソリッドステートレーザである。一実施例において、ＳＳＬ源１１−１乃至１１−３は、レーザであることができる一方で、ＳＳＬ源１１−４（図３に示されている）は、白色発光ＬＥＤであることができる。好ましくは、ＳＳＬ源１１−１乃至１１−４を有する実施例は、ＳＳＬ源１１−１乃至１１−３のためのＬＥＤ及びソリッドステートレーザの組み合わせを含むことができる。
【００３５】
ＳＳＬ源１１−１乃至１１−４の第１のＳＳＬ源１１−１の放出波長は、４１５ｎｍと４３５ｎｍとの間にあり得て、青色スペクトルにおける色を供給する。第１のＳＳＬ源１１―１のスペクトル幅は、０．５ｎｍと５０ｎｍとの間、好ましくは、１５ｎｍと５０ｎｍとの間であり得る。第１のＳＳＬ源のスペクトル幅は、例えば、２５ｎｍであり得る。一実施例において、第１のＳＳＬ源１１―１のピーク放出波長は、４２５ｎｍである。一実施例において、前記第１のＳＳＬ源１１―１は、（青色）レーザであり、スペクトル幅は、約０．５ｎｍであり得る。有利には、前記レーザの場合のピーク放出波長は、４１５ｎｍと４３５ｎｍとの間にあり得て、好ましくは、４２５ｎｍのピーク放出波長を有する。
【００３６】
一実施例におけるＳＳＬ源１１―１は、５９２ｎｍと６０６ｎｍとの間のピーク放出波長を有し得る。一実施例において、第２のＳＳＬ源１１―２のピーク放出波長は、６００ｎｍであり得る。
【００３７】
第３のＳＳＬ源１１―３は、一実施例において、５２６ｎｍと５３８ｎｍとの間のピーク放出波長を有し得る。一実施例において、第２のＳＳＬ源１１―２のピーク放出波長は、５３０ｎｍである。
【００３８】
有利には、ＳＳＬ源１１−１乃至１１−４の各々は、個々に調整可能であり、即ちこれらの色出力は、異なるカメラ設定による幅広い種類のカメラの使用を可能にする目的のために調整されることができる。有益には、一実施例は、４２５ｎｍのピーク放出波長を有している第１のＳＳＬ源１１−１と、６００ｎｍのピーク放出波長を有している第２のＳＳＬ源１１−２と、５３０ｎｍのピーク放出波長を有している第３のＳＳＬ源１１−３とを有することができる。
【００３９】
如何なる実施例においても、照明装置２の、色温度、又は、より詳細には、相関色温度は、３０００Ｋ（ケルビン）又は５０００Ｋであり得る。
【００４０】
６００ｎｍのピーク放出波長を有する高出力ＬＥＤを達成する相対的な難しさのために、一実施例において、
５９０ｎｍの蛍光励起（琥珀）ＬＥＤが、第２のＳＳＬ源１１−２として使用されることができ、５９０ｎｍの琥珀ＬＥＤの特定されているピーク波長よりも僅かに長いピーク波長を発する。有利には、照明装置２の相関色温度は、蛍光体励起琥珀ＬＥＤ、即ち蛍光体変換ＬＥＤを使用する場合、５０００Ｋである。
【００４１】
一実施例において、４３０ｎｍのピーク放出スペクトルを有する第１のＳＳＬ源１１−１と、６１４ｎｍのピーク放出スペクトルを有する第２のＳＳＬ源１１―２と、５５０ｎｍのピーク放出スペクトルを有する第３のＳＳＬ源１１―３とを有することが想定される。好ましくは、ＳＳＬ源１１―１乃至１１−３は、この実施例において、ＬＥＤを有する。
【００４２】
図３は、図２における照明装置２の実施例の模式的な図を示している。ＳＳＬ源１１−１乃至１１−３に加えて、示されている当該実施例は、白色ＳＳＬ源１１−４を有しており、これによりＲＧＢ＋Ｗ（赤色  緑色  青色  ＋  白色の  省略形）照明装置２を形成している。ＳＳＬ源１１―１乃至１１−３は、図２を参照して記載されている如何なる種類の組み合わせであっても良い。有利には、白色ＳＳＬ源１１―４は、ＬＥＤである。白色ＳＳＬ源１１―４は、例えば、蛍光体変換された光源を有していても良く、好ましくは、Ｐｈｉｌｉｐｓ  ＬｕｍｉｌｅｄｓのＬｕｍｉｒａｍｉｃ（登録商標）技術のような、リモート蛍光体を有していても良い。一実施例において、第１のＳＳＬ源１１―１は、４７２ｎｍのピーク放出スペクトルを有することができる。第２のＳＳＬ源１１―２は、６１５ｎｍのピーク放出スペクトルを有し得て、第３のＳＳＬ源１１―３は、５３２ｎｍのピーク放出スペクトルを有し得る。白色のＳＳＬ源１１―４は、４１００Ｋの相関色温度を有し得る。
【００４３】
図４は、所謂Ｇｒｅｔａ  Ｍａｃｂｅｔｈカラーチェックパターン１２の模式的な図を示している。Ｇｒｅｔａ  Ｍａｃｂｅｔｈカラーチェックパターン１２（以下、ＧＭＢ１２と称する）は、カメラ４の色再現を比較するための手段として使用されることができる。内側の方形１４は、外側の方形１３の元の色の再現された色を示している。この外側の色は、例えば、スタジオ環境が複数の色を有するという点において、スタジオ環境をシミュレーションすることができ、前記複数の色は、照明された場合、図１を参照して記載されたように、カメラ４の光学レンズ５に反射され、この後、カメラ４によって処理される。
【００４４】
この例において、図４に見られることができるように、内側の方形１３と外側の方形１４との間の不一致が、存在する。これは、カメラ４の色再現が悪い場合の例を示している。理想的な照明条件及び理想的なカメラの場合、色の不一致は存在しない。実際は、Ｇｒｅｔａ  Ｍａｃｂｅｔｈは、１８個の異なる色及び６個のグレイスケールを有するが、簡単さのために、この例においては、Ｇｒｅｔａ  Ｍａｃｂｅｔｈの原理を示すことを目的とし、ＧＭＢ１２内のただ１対の内側／外側の方形（内側の方形１４及び外側の方形１３）が、異なる方向における平行の線によって異なる「色」を示している。このことは、色の不一致を示している。
【００４５】
当該ソリッドステート光源の特定の波長間隔及びピーク放出波長を推定するために、
高度な数学モデルが、本発明者らによってＭａｔｈＣＡＤにおいて開発されており、最小の色再現エラー、即ち内側の方形１４と外側の方形１３との間の最小の色の不一致を発見するように使用されている。本発明者らは、動画記録システムの場面２の色の光再現に使用される照明装置２のＳＳＬ源１１―１乃至１１―４の異なる波長の組み合わせがどのように良好であるかに関する科学的な基準を得るためにカメラ４の数学モデルを生成しており、この場合の場面は、ＧＭＢ１２によってシミュレーションされる。
【００４６】
色の不一致の、即ち場面の色とカメラ再現される色との間の違いの数値的な基準を得るために、ＣＩＥ ＸＹＺ及びＬＵＶ空間のような、色空間が、使用されることができる。
【００４７】
ＬＵＶ空間におけるユークリッド・ノルムは、各色調が、ＧＭＢ１２の２４領域の各々に関してＬＵＶ空間内の色調に付随する数値を有している場合、基準色（外側の方形１３）と再現された色（内側の方形１４）との間の距離を決定するために使用されることができる。このことは、図６のダイヤグラム１５に示されているように２４個の値を生じさせる。
【００４８】
図５は、図１の動画記録システムの模式的な図を示している。この例において、場面３は、場面３の前記色をシミュレーションしているＧＭＢ１２によって置換されている。
【００４９】
図６は、カメラ４の色再現を測定するための仕方を示している。図１５の各列は、上述したように、ＬＵＶ空間内のノルムの違いを示している。より全体的な基準、又は全１８色及び６個のグレイスケールの色の再現の効果を達成するために、全ての列の合計の平均が、計算されることができ、カメラ４の色再現の単一の基準（Ｍｌｕｖ＿ｍ）を提供している。例えば、再現性の質を、
範囲０―５は、優れた再現を象徴し、Ｇｒｅｔａ  Ｍａｃｂｅｔｈにおいて違いを示すのは困難であり、
範囲６―８は、スタジオの場合の許容を象徴しており、違いは、気づかれないかもしれず
範囲８―１０は、観察者に対して許容可能な再現の最大の制限を象徴しており、
１０以上は、悪い色再現を象徴している、
というように分類することができる。
【００５０】
確かに、ＳＳＬ源の色再現は、ＳＳＬ源があまり綿密に調整されていない場合及び任意のＲＧＢ色が利用されている場合、実際に非常に悪いものになり得る。６０―７０の範囲内のＭｌｕｖ＿ｍ値に到達することは、珍しくなく、この仕様において規定されている波長範囲及び組み合わせからの比較的小さい逸脱である場合でさえも、ひどい色再現に対応する。
【００５１】
他方では、４２５ｎｍのピーク放出波長を有する第１のＳＳＬ源１１―１と、５３０ｎｍのピーク放出波長を有する第２のＳＳＬ源１１―２と、６００ｎｍのピーク放出波長を有する第３のＳＳＬ源１１―３との組み合わせは、３０００Ｋの相関色温度を有する照明装置２に対して、ちょううど７未満の許容可能なＭｌｕｖ＿ｍ値を与える。５０００Ｋの相関色温度の場合、同じ値は、僅かに高いが、依然として７未満である。
【００５２】
Ｍｌｕｖ＿ｍ値のシミュレーション及び分析は、第１のＳＳＬ源１１―１、即ち可視光の青色スペクトル内で発光するＳＳＬ源が、カメラ４の色再現に対して最も大きい影響を有していることも示している。第１のＳＳＬ源１１―１の４２７ｎｍのピーク放出波長は、３０００Ｋの相関色温度を有する照明装置２に対して、６未満のＭｌｕｖ＿ｍ値を与えている。他方では、５０００Ｋの相関色温度を有する場合、最良のＭｌｕｖ＿ｍ値は、第１のＳＳＬ源１１―１に対する４２４ｎｍのピーク放出波長によって到達され、６．５程度のＭｌｕｖ＿ｍ値に到達する。３０００Ｋ及び５０００Ｋの結果の中間を計算することによって、第１のＳＳＬ源１１―１に対する４２５ｎｍのピーク放出波長を有する、上述の、両方の相関色温度に対する最良の結果が、決定される。本発明者らによって、第２のＳＳＬ源１１―２のピーク放出波長を約６００ｎｍ周辺において僅かに変更し、第３のＳＳＬ源１１―３のピーク放出波長を５３０ｎｍの周辺において変更することによって、前記Ｍｌｕｖ＿ｍ値が、約４２５ｎｍ周辺において変更される場合の第１のＳＳＬ源１１―１に対するものよりもあまり変化しないことも発見された。
【００５３】
照明装置２と従来の光源（例えばタングステン又はキセノン放電ランプ）との組み合わせが、スタジオ環境において使用されることができることも想定される。このような組み合わせは、従来の照明の利点（例えば、従来のスタジオ照明が使用されている場合に色を再現するのに適している現在のカメラ）と組み合わせられたＳＳＬ技術の有利な点を提供することができる。
【００５４】
本発明は、添付図面及び上述の記載において詳細に示され記載されたが、このような説明及び記載は、説明的なもの又は例示的なものとみなされるべきであり、限定的なものとみなされてはならない。本発明は、開示されている実施例に限定されるものではない。開示されている前記実施例に対する他の変化は、前記添付図面、本明細書及び添付請求項の熟慮により、添付請求項に記載の本発明を実施する際に当業者によって理解され、行われることができる。特定の手段が、相互に異なる従属請求項において引用されているという単なる事実は、これらの手段の組み合わせが有利になるように使用されることができないと示すものではない。添付請求項における如何なる符号も、この範囲を制限するものとしてみなしてはならない。
【図１】
2012505587.tif 000003
【図２】
2012505587.tif 000004
【図３】
2012505587.tif 000005
【図４】
2012505587.tif 000006
【図５】
2012505587.tif 000007
【図６】
2012505587.tif 000008
【国際調査報告】
2012505587.tif 000009
2012505587.tif 000010